(57)【要約】【課題】  シート状物の下面に塗布したニスやインキが剥離したり、下面側に傷が付いたりすることを防止する。【解決手段】  紙４０の搬送経路の下方に、耐熱ガラス３８Ｃとこの耐熱ガラス３８Ｃの紙４０の搬送方向下流側に案内板３９Ｃとが設けられている。耐熱ガラス３８Ｃには空気を上方に吐出する第１の吐出孔３８１Ｃが設けられている。案内板３９Ｃには紙４０の幅方向に空気４５１Ｃを吐出する第２の吐出孔４３１Ｃと、耐熱ガラス３８Ｃに隣接した部位に空気を上方に吐出する第３の吐出孔４３２Ｃとが設けられている。紙４０の上方に設けた上面用空気吹き手段から空気が紙４０に向かって下方に吹き付けられている。耐熱ガラス３８Ｃの下方には、紙４０の下面を乾燥する赤外線ランプが設けられている。【選択図】  図５
2005305794.tif 000002
【特許請求の範囲】
【請求項１】
シート状物を搬送する搬送手段と、
この搬送手段によって搬送されるシート状物の搬送経路の下方に設けられ、下面に印刷またはコーティングされたシート状物を乾燥させる下面乾燥用ユニットとを備えたシート状物の乾燥機において、
前記下面乾燥用ユニットを、
下面乾燥用ランプと、
この下面乾燥用ランプの上方に設けられた透明板と、
この透明板の前記シート状物の搬送方向に隣接して設けられた案内板とで構成し、
前記透明板に空気を上方に吐出する第１の吐出孔を設け、
前記第１の案内板に空気を前記シート状物の幅方向に吐出する第２の吐出孔を設けたことを特徴とするシート状物の乾燥機。
【請求項２】
請求項１記載のシート状物の乾燥機において、
前記案内板の前記透明板に隣接した部位に空気を上方に吐出する第３の吐出孔を設けたことを特徴とするシート状物の乾燥機。
【請求項３】
請求項１記載のシート状物の乾燥機において、
前記案内板を前記下面乾燥用ランプの前記シート状物の搬送方向上流側に設け、
前記第２および第３の吐出孔から温風が吐出されることを特徴とするシート状物の乾燥機。
【請求項４】
請求項１記載のシート状物の乾燥機において、
前記下面乾燥用ユニットと対向し前記シート状物の搬送経路の上側に、シート状物の上面を乾燥するための上面乾燥用ランプを備えた上面乾燥用ユニットを設けたことを特徴とするシート状物の乾燥機。
【請求項５】
請求項４記載のシート状物の乾燥機において、
前記上面乾燥用ランプを前記案内板に対向させたことを特徴とするシート状物の乾燥機。
【請求項６】
請求項４記載のシート状物の乾燥機において、
前記上面乾燥用ランプの前記シート状物の搬送方向上流側に隣接し、吹き出される空気が温風である上面用空気吹き手段を備えたことを特徴とするシート状物の乾燥機。
【請求項７】
請求項１記載のシート状物の乾燥機において、
前記下面乾燥用ユニットの前記シート状物の搬送方向下流側で前記シート状物の搬送経路の下方に設けられ、前記シート状物に空気を吐出する下面用空気吹き手段と、
この下面用空気吹き手段と対向し前記シート状物の上面を乾燥するための上面乾燥用ユニットとを備えたことを特徴とするシート状物の乾燥機。
【請求項８】
請求項１記載のシート状物の乾燥機において、
前記下面乾燥用ユニットの前記シート状物の搬送方向上流側で前記シート状物の搬送経路の下方に設けられ、前記シート状物に空気を吐出する下面用空気吹き手段と、
この下面用空気吹き手段と対向し前記シート状物の上面を乾燥するための上面乾燥用ユニットとを備えたことを特徴とするシート状物の乾燥機。
【発明の詳細な説明】
【技術分野】
【０００１】
本発明は、下面（裏面）および上面（表面）または下面のみを印刷またはニスを塗布したシート状物を乾燥するシート状物の乾燥機に関するものである。
【背景技術】
【０００２】
従来のシート状物の乾燥機は、印刷ユニットと排紙部との間に、紙の両面を乾燥する上下のドライヤーが、紙の搬送経路を挟んで設けられている。（例えば、特許文献１参照）。なお、本出願人は、本明細書に記載した先行技術文献情報で特定される先行技術文献以外には、本発明に密接に関連する先行技術文献を出願時までに見付け出すことはできなかった。
【特許文献１】特開平１０−２９６９５３号公報（段落「００２１」、「００２６」および図２）
【発明の開示】
【発明が解決しようとする課題】
【０００３】
上述した従来のシート状物の乾燥機においては、ニスが塗布された紙や印刷された紙を搬送したときに、紙の後端側が垂れて下方のドライヤーに接触するために紙の下面に塗布したニスやインキが剥離したり、下面側に傷が付いたりするという問題があった。
【０００４】
本発明は上記した従来の問題に鑑みなされたものであり、その目的とするところは、シート状物の下面に塗布したニスやインキが剥離したり、下面側に傷が付いたりするのを防止することにある。
【課題を解決するための手段】
【０００５】
この目的を達成するために、請求項１に係る発明は、シート状物を搬送する搬送手段と、この搬送手段によって搬送されるシート状物の搬送経路の下方に設けられ、下面に印刷またはコーティングされたシート状物を乾燥させる下面乾燥用ユニットとを備えたシート状物の乾燥機において、前記下面乾燥用ユニットを、下面乾燥用ランプと、この下面乾燥用ランプの上方に設けられた透明板と、この透明板の前記シート状物の搬送方向に隣接して設けられた案内板とで構成し、前記透明板に空気を上方に吐出する第１の吐出孔を設け、前記第１の案内板に空気を前記シート状物の幅方向に吐出する第２の吐出孔を設けたものである。
【０００６】
請求項２に係る発明は、請求項１に係る発明において、前記案内板の前記透明板に隣接した部位に空気を上方に吐出する第３の吐出孔を設けたものである。
【０００７】
請求項３に係る発明は、請求項１に係る発明において、前記案内板を前記下面乾燥用ランプの前記シート状物の搬送方向上流側に設け、前記第２および第３の吐出孔から温風が吐出されるものである。
【０００８】
請求項４に係る発明は、請求項１に係る発明において、前記下面乾燥用ユニットと対向し前記シート状物の搬送経路の上側に、シート状物の上面を乾燥するための上面乾燥用ランプを備えた上面乾燥用ユニットを設けたものである。
【０００９】
請求項５に係る発明は、請求項４に係る発明において、前記上面乾燥用ランプを前記案内板に対向させたものである。
【００１０】
請求項６に係る発明は、請求項４に係る発明において、前記上面乾燥用ランプの前記シート状物の搬送方向上流側に隣接し、吹き出される空気が温風である上面用空気吹き手段を備えたものである。
【００１１】
請求項７に係る発明は、請求項１に係る発明において、前記下面乾燥用ユニットの前記シート状物の搬送方向下流側で前記シート状物の搬送経路の下方に設けられ、前記シート状物に空気を吐出する下面用空気吹き手段と、この下面用空気吹き手段と対向し前記シート状物の上面を乾燥するための上面乾燥用ユニットとを備えたものである。
【００１２】
請求項８に係る発明は、請求項１に係る発明において、前記下面乾燥用ユニットの前記シート状物の搬送方向上流側で前記シート状物の搬送経路の下方に設けられ、前記シート状物に空気を吐出する下面用空気吹き手段と、この下面用空気吹き手段と対向し前記シート状物の上面を乾燥するための上面乾燥用ユニットとを備えたものである。
【発明の効果】
【００１３】
請求項１に係る発明によれば、搬送手段によって搬送されるシート状物は、案内板の上を通過するときにシート状物の幅方向に吐出される空気によって浮き上がった状態で下面乾燥用ランプによって下面が乾燥させられる。また、下面乾燥用ランプの上方に設けられた透明板に空気が上方に吐出される第１の吐出孔を設けたことにより、案内板との間に設けられた透明板の上方にシート状物を上昇させる空気層が形成される。このため、シート状物の案内板や透明板への接触が防止され、シート状物の下面に塗布したニスの剥離や、下面側に傷が付いたりすることを防止できる。
【００１４】
請求項２に係る発明によれば、案内板の透明板に隣接した部位に設けた吐出孔から上方に吐出される空気によって、案内板と透明板との間の隙間や段差によって生じる空気の乱流が防止できるため、搬送されるシート状物のばたつきや波打ちによってシート状物が案内板や透明板に接触するようなことがなく、シート状物の下面に塗布したニスの剥離や、下面側に傷が付いたりすることを防止できる。
【００１５】
請求項３に係る発明によれば、シート状物の下面を第２および第３の吐出孔から吐出される空気によって乾燥することができる。
【００１６】
請求項４に係る発明によれば、前記効果に加えシート状物の上下両面を乾燥することができる。
【００１７】
請求項５に係る発明によれば、案内板が上面乾燥用ランプによって加熱されるため、前記効果に加えシート状物の下面の乾燥をより促進することができる。
【００１８】
請求項６に係る発明によれば、シート状物の上面を上面用空気吹き手段から吐出される空気によって乾燥することができる。
【発明を実施するための最良の形態】
【００１９】
以下、本発明の実施の形態を図に基づいて説明する。図１は本発明に係るシート状物の乾燥機が適用された枚葉輪転印刷機の側面図、図２は同じくコーティング装置の胴の配列を示す側面図、図３は本発明に係るシート状物の乾燥機における乾燥装置の上流側の半分を示す側面図、図４は同じく乾燥装置の下流側の半分を示す側面図、図５は下面乾燥機の一部を示す平面図である。
【００２０】
図６は図３におけるVI矢視図、図７は図３における VII矢視図、図８は紙が浮き上がる原理を説明するためのモデル図であって、同図（ａ）は案内板の吐出孔から空気が吐出されている状態を示し、同図（ｂ）は紙の下側に案内板の吐出孔から吐出された空気が通過し、かつ上面用空気吹き手段から空気を紙の上面に吹き付けている状態を示し、図９は図５におけるIX矢視図、図１０は図５におけるX-X 線断面図である。
【００２１】
図１において、全体を符号１で示す枚葉輪転印刷機は、シート状物としての紙を給紙する給紙部２と、給紙された紙を印刷する印刷部３と、印刷された紙の上面および下面（表面および裏面）にニスをコーテイングするコーティング部４と、コーティングされた紙が排紙される排紙部５とによって構成されている。印刷部３は、４台の第１ないし第４の上面印刷ユニット７Ａないし７Ｄと、４台の第１ないし第４の下面印刷ユニット８Ａないし８Ｄとからなる。
【００２２】
前記各上面印刷ユニット７Ａないし７Ｄには、周面に紙をくわえる爪が設けられた倍径の圧胴１０ａと、この圧胴１０ａの上部において対接するゴム胴１１ａと、このゴム胴１１ａの上部において対接する版胴１２ａと、この版胴１２ａにインキを供給するインキ部１３ａとが備えられている。
【００２３】
前記各下面印刷ユニット８Ａないし８Ｄには、周面に紙をくわえる爪が設けられた倍径の圧胴１０ｂと、この圧胴１０ｂの下部において対接するゴム胴１１ｂと、このゴム胴１１ｂの下部において対接する版胴１２ｂと、この版胴１２ｂにインキを供給するインキ部１３ｂとが備えられている。
【００２４】
このような構成において、給紙部２からフィーダボード１５に供給された紙の先端は、スイング装置１６にくわえられて第１の上面印刷ユニット７Ａの圧胴１０ａの爪にくわえ替えられ、圧胴１０ａとゴム胴１１ａとの対接点を通過するときに上面に１色目が印刷される。次いで、上面に１色目が印刷された紙は、第１の下面印刷ユニット８Ａの圧胴１０ｂにくわえ替えられ、圧胴１０ｂとゴム胴１１ｂとの対接点を通過するときに下面に１色目が印刷される。
【００２５】
順次、第２ないし第４の上面印刷ユニット７Ｂないし７Ｄおよび第２ないし第４の下面印刷ユニット８Ｂないし８Ｄによって、上下面に４色印刷された紙は、後述するようにコーティングユニット４によって上下面にニスがコーティングされる。コーティングされた紙は、排紙部５の前後のスプロケット１８，１９間に張架された排紙チェーン２０の排紙爪にくわえ替えられ、排紙チェーン２０によって搬送された後、排紙パイル２１上に落下し積載される。
【００２６】
次に、図２を用いてコーティングユニット４について説明する。同図に示すように、コーティングユニット４は、第４の下面印刷ユニット８Ｄの圧胴１０ｂに対接するゴム圧胴２２と、印刷された紙の下面をコーティングする第１のニスコーティング手段２３と、印刷された紙の上面をコーティングする第２のニスコーティング手段２４とによって構成されている。
【００２７】
第１のニスコーティング手段２３は、ゴム圧胴２２と圧胴１０ｂの対接点から紙の搬送方向上流側においてゴム圧胴２２と対接する第１のニス膜形成胴２５と、この第１のニス膜形成胴２５に対接するアニロックスローラ２６と、このアニロックスローラ２６にニスを供給するチャンバーコータ２７とから構成されている。したがって、チャンバーコータ２７からアニロックスローラ２６に供給されたニスは、第１のニス膜形成胴２５を介してゴム圧胴２２の周面に転移される。
【００２８】
第２のニスコーティング手段２４は、ゴム圧胴２２と圧胴１０ｂの対接点から紙の搬送方向下流側においてゴム圧胴２２と対接する第２のゴム胴としてのゴム胴２８と、このゴム胴２８と対接する第２のニス膜形成胴２９と、この第２のニス膜形成胴２９に対接するアニロックスローラ３０と、このアニロックスローラ３０にニスを供給するチャンバーコータ３１とからなる。
【００２９】
したがって、チャンバーコータ３１からアニロックスローラ３０に供給されたニスは、第２のニス膜形成胴２９を介してゴム胴２８に転移され、このゴム胴２８とゴム圧胴２２の対接点を通過する印刷された紙の上面にコーティングされる。このゴム胴２８とゴム圧胴２２の対接点を紙が通過するときに、ゴム胴２８の印圧によって、上述した第１のニスコーティング手段２３の第１のニス膜形成胴２５からゴム圧胴２２の周面に転移されたニスが、印刷された紙の下面にコーティングされる。
【００３０】
次に、図１および図３ないし図１０を用いて、本発明の特徴である乾燥装置３５について説明する。排紙部５には、図１に示すように、コーティング部４と排紙パイル２１との間には、紙の上面および下面を乾燥するための乾燥装置３５が設けられており、この乾燥装置３５は、紙の搬送方向（矢印Ａ方向）上流側から下流側に向かって順次位置付けられた第１の乾燥機３５Ａおよび第２の乾燥機３５Ｂならびに第３の乾燥機３５Ｃによって構成されている。
【００３１】
第１の乾燥機３５Ａは、図３に示すように、紙の搬送経路となる排紙チェーン２０の下方に設けられ紙の下面に塗布されたニスを乾燥するための下面乾燥機３６Ａと、排紙チェーン２０の上方に設けられ紙の上面に塗布されたニスを乾燥するための上面乾燥機３７Ａとによって構成されている。下面乾燥機３６Ａには、紙の搬送方向上流側から下流側に向かって設けられた透明板としての５枚の耐熱ガラス３８Ａないし３８Ｅと、これら各耐熱ガラス３８Ａないし３８Ｅの紙の搬送方向下流側に位置付けられた金属によって形成された５つの案内板３９Ａないし３９Ｅとが備えられている。
【００３２】
これら耐熱ガラス３８Ａないし３８Ｅと案内板３９Ａないし３９Ｅとは、図５に示すように、共に細長い長方形で幅方向が紙４０の幅よりもやや長く形成されており、互いの端面が、図９に示すようにわずかな隙間を隔てた状態で隣接し、左右のフレーム４１，４１間に支持部材４２Ａを介して取り付けられている。これら耐熱ガラス３８Ａないし３８Ｅと、案内板３９Ａないし３９Ｅとの上面は、排紙チェーン２０の走行方向（矢印Ａ方向）と平行となるように同一平面をなすように配設されている。
【００３３】
これら耐熱ガラス３８Ａないし３８Ｅのうち３つの耐熱ガラス３８Ｂないし３８Ｄの下方のそれぞれには、赤外線ランプからなる３つの下面乾燥用ランプ４６Ａないし４６Ｃが、後述するチャンバ４６１Ｂないし４６１Ｄ内に設けられている。また、残りの耐熱ガラス３８Ａ，３８Ｅの下方には、下面乾燥用ランプは設けられてなく、後述するチャンバ４６１Ａ，４６１Ｅのみが設けられている。これら耐熱ガラス３８Ａないし３８Ｅのそれぞれには、図５に示すように、多数の第１の吐出孔３８１Ａないし３８１Ｅが設けられており、これら第１の吐出孔３８１Ａないし３８１Ｅからは、後述する給気管４９ａを介してチャンバ４６１Ａないし４６１Ｅ内に供給される常温の空気が吐出される。
【００３４】
すなわち、これら耐熱ガラス３８Ａないし３８Ｅの下方のそれぞれには、図１０に示すように、上方が開口した箱４６２Ａないし４６２Ｅが設けられており、耐熱ガラス３８Ａないし３８Ｅがこれら箱４６２Ａないし４６２Ｅの開口を覆うようにして取り付けられ、チャンバ４６１Ａないし４６１Ｅが形成されている。このうちチャンバ４６１Ｂないし４６１Ｄには下面乾燥用ランプ４６Ａないし４６Ｃが設けられている。箱４６２Ａないし４６２Ｅには、給気口４６３Ａないし４６３Ｅと排気口４６４Ａないし４６４Ｅとが設けられており、給気口４６３Ａないし４６３Ｅには後述する給気管４９ａが接続され、排気口４６４Ａないし４６４Ｅには後述する排気管４９ｂが接続されている。給気管４９ａからこれらチャンバ４６１Ａないし４６１Ｅ内に供給された空気は、下面乾燥用ランプ４６Ａないし４６Ｃを冷却するとともに、第１の吐出孔３８１Ａないし３８１Ｅから上方に向かって吐出される。
【００３５】
上記した案内板３９Ａないし３９Ｅには、図５に示すように、全体にわたって設けられた多数の第２の吐出孔４３１Ａないし４３１Ｅと、耐熱ガラス３８Ａないし３８Ｅに隣接した部位に設けられた第３の吐出孔４３２Ａないし４３２Ｅ、４３３Ａないし４３３Ｅと、紙４０の幅方向の中央に対応した部位に設けられた吐出孔４３４Ａないし４３４Ｅが穿孔されている。これら第２の吐出孔４３１Ａないし４３１Ｅおよび第３の吐出孔４３２Ａないし４３２Ｅ、４３３Ａないし４３３Ｅならび吐出孔４３４Ａないし４３４Ｅからは、案内板３９Ａないし３９Ｅのそれぞれに設けられたダクト４４Ａないし４４Ｅから供給された空気が吐出される。
【００３６】
このうち、第２の吐出孔４３１Ａないし４３１Ｅから吐出される空気４５１Ａないし４５１Ｅは、図５に示すように、紙４０の幅方向を指向しかつ図８に示すように、搬送された紙４０の下面を沿うようにして吐出される。すなわち、第２の吐出孔４３１Ａないし４３１Ｅのうち図５中中央部から上方に位置付けられた吐出孔からは空気が図中上方に吐出され、第２の吐出孔４３１Ａないし４３１Ｅのうち図５中中央部から下方に位置付けられた吐出孔からは空気が図中下方に吐出される。また、第３の吐出孔４３２Ａないし４３２Ｅ、４３３Ａないし４３３Ｅおよび吐出孔４３４Ａないし４３４Ｅから吐出される空気４５２Ａないし４５２Ｅ、４５３Ａないし４５３Ｅは、図９に示すように上方に吐出される。
【００３７】
紙の搬送方向上流側から、下面乾燥用ランプ４６Ａと耐熱ガラス３８Ｂと案内板３９Ｂとが１番目の下面乾燥用ユニット５１Ａを構成し、下面乾燥用ランプ４６Ｂと耐熱ガラス３８Ｃと案内板３９Ｃとが２番目の下面乾燥用ユニット５１Ｂを構成し、下面乾燥用ランプ４６Ｃと耐熱ガラス３８Ｄと案内板３９Ｄとが３番目の下面乾燥用ユニット５１Ｃを構成している。
【００３８】
図７において、４７は第１の下面用ブロアであって、給気管４７ａを介して、上記したダクト４４Ａないし４４Ｅのうち、ダクト４４Ａ，４４Ｂ，４４Ｄ，４４Ｅのそれぞれに接続されている。給気管４７ａには、ヒータ４８が備えられており、このヒータ４８によって給気管４７ａ内を通過する常温の常温の空気が加熱されることにより、第１の下面用ブロア４７からダクト４４Ａ，４４Ｂ，４４Ｄ，４４Ｅに温風の空気が供給される。
【００３９】
４９は第２の下面用ブロアであって、給気管４９ａを介してダクト４４Ｃおよびチャンバ４６１Ａないし４６１Ｅに接続されており、ダクト４４Ｃおよびチャンバ４６１Ａないし４６１Ｅにはこの第２の下面用ブロア４９から常温の空気が供給される。また、この案内板３９Ｂの吐出孔４３１Ｂ，４３２Ｂ，４３３Ｂ，４３４Ｂからは上記したように温風の空気４５１Ｂ，４５２Ｂ，４５３Ｂが吐出される。
【００４０】
５０，５０は案内板３９Ａないし３９Ｅの幅方向の両端側に設けられた排気ダクトであって、排気管４７ｂおよび排気管４９ｂを介して、第１の下面用ブロア４７および第２の下面用ブロア４９のそれぞれに接続されている。５２は紙４０の搬送経路２０の上方に設けられた排気ダクトであって、ファン５３によってこの排気ダクト５２から空気が排出される。
【００４１】
次に、図３を用いて上面乾燥機３７Ａについて説明する。上面乾燥機３７Ａは、上記した下面乾燥機３６Ａと対向するように、紙４０の搬送経路２０の上側に設けられており、４つの上面用空気吹き手段５５Ａないし５５Ｄと、赤外線ランプからなる３つの上面乾燥用ランプ５６Ａないし５６Ｃとが備えられている。
【００４２】
これら上面用空気吹き手段５５Ａないし５５Ｄと、上面乾燥用ランプ５６Ａないし５６Ｃとは、紙４０の搬送方向（矢印Ａ方向）に交互に設けられるように、左右のフレーム４１，４１間に支持部材５７Ａを介して取り付けられている。
【００４３】
４つの上面用空気吹き手段５５Ａないし５５Ｄは、上記した下面乾燥機３６Ａの５枚の耐熱ガラス３８Ａないし３８Ｅのうちの４枚の耐熱ガラス３８Ｂないし３８Ｅのそれぞれに対向している。また、３つの上面乾燥用ランプ５６Ａないし５６Ｃは、下面乾燥機３６Ａの５つの案内板３９Ａないし３９Ｅのうちの３つの案内板３９Ｂないし３９Ｄのそれぞれに対向している。
【００４４】
紙の搬送方向上流側から、上面用空気吹き手段５５Ａと上面乾燥用ランプ５６Ａとが１番目の上面乾燥用ユニット５４Ａを構成しており、上記した下面乾燥機３６Ａの１番目の下面乾燥ユニット５１Ａに対向している。また、上面用空気吹き手段５５Ｂと上面乾燥用ランプ５６Ｂとが２番目の上面乾燥用ユニット５４Ｂを構成しており、上記した下面乾燥機３６Ａの２番目の下面乾燥ユニット５１Ｂに対向している。また、上面用空気吹き手段５５Ｃと上面乾燥用ランプ５６Ｃとが３番目の上面乾燥用ユニット５４Ｃを構成しており、上記した下面乾燥機３６Ａの３番目の下面乾燥ユニット５１Ｃに対向している。
【００４５】
上面用空気吹き手段５５Ａないし５５Ｄは、図６に示すように、第１の上面用ブロア５７および第２の上面用ブロア５８と、これらブロア５７，５８から空気が供給されるダクト６０Ａないし６０Ｄと、これらダクト６０Ａないし６０Ｄに供給された空気６２Ａないし６２Ｄを搬送経路２０に搬送された紙４０の上面全体に上方から吹き付けるためのノズル６１Ａないし６１Ｄとによって構成されている。
【００４６】
第１の上面用ブロア５７は、給気管５７ａを介して、上記したダクト６０Ａないし６０Ｄのうち、１番目および２番目ならびに４番目の上面用空気吹き手段５５Ａ，５５Ｂ，５５Ｄのダクト６０Ａ，６０Ｂ，６０Ｄのそれぞれに接続されている。このうち、２番目の上面用空気吹き手段５５Ｂが、請求項６記載の上面用空気吹き手段に相当する。給気管５７ａには、ヒータ５９が備えられており、このヒータ５９によって給気管５７ａ内を通過する常温の空気を加熱することにより、第１の上面用ブロア５７からダクト６０Ａ，６０Ｂ，６０Ｄに温風の空気が供給される。
【００４７】
第２の上面用ブロア５８は、給気管５８ａを介して３番目の上面用空気吹き手段５５Ｃのダクト６０Ｃに接続されており、このダクト６０Ｃには第２の上面用ブロア５８から常温の空気が供給される。第１の上面用ブロア５７の排気管５７ｂと、第２の上面用ブロア５８の排気管５８ｂとは、上記した排気ダクト５０，５０に接続されている。
【００４８】
次に、このように構成された第１の乾燥機３５Ａによって両面をコーティングされた紙を乾燥するための動作を説明する。図２に示すコーティング部４において、上面および下面の両面がコーティングされた紙は、ゴム圧胴２２のくわえ爪から排紙チェーン２０の排紙爪３２にくわえ替えられ、図３に示すように、矢印Ａ方向に搬送され、第１の乾燥機３５Ａ内に搬送される。
【００４９】
第１の乾燥機３５Ａにおいては、下面乾燥機３６Ａの案内板３９Ａないし３９Ｅの第２の吐出孔４３１Ａないし４３１Ｅから吐出された空気４５１Ａないし４５１Ｅが、紙４０の幅方向でかつ紙４０の下面を沿うように流れ、上面乾燥機３７Ａの上面用空気吹き手段５５Ａないし５５Ｄからの空気６２Ａないし６２Ｄが、紙４０の上面全体に上方から吹き付けられている。このように、紙４０の下面を沿うように空気４５１Ａないし４５１Ｅが通過し、かつ紙４０の上面全体に空気６２Ａないし６２Ｄが吹き付けられることにより、紙４０は案内板３９Ａないし３９Ｅから浮き上がった状態で搬送される。これを図８を用いて説明する。
【００５０】
すなわち、図８（ａ）に示すように、案内板３９Ａないし３９Ｅの第２の吐出孔４３１Ａないし４３１Ｅから空気４５１Ａないし４５１Ｅが、紙４０の下面を沿うように吐出され案内板３９Ａないし３９Ｅに沿って通過すると、式（１）で表されるベルヌーイの定理により、空気４５１Ａないし４５１Ｅの風速が速ければ速いほど圧力が低下し、案内板３９Ａないし３９Ｅ上では圧力が低下するため、案内板３９Ａないし３９Ｅの近傍に位置する紙４０が吸い寄せられる。
【００５１】
ｖ2／２ｇ＋ｐ／γ＝一定    式１
ｖ：風速、ｐ：圧力
【００５２】
この状態で、同図（ｂ）に示すように、紙４０を案内板３９Ａないし３９Ｅに近づくように押えつけようとすると、案内板３９Ａないし３９Ｅの上面と紙４０との間に形成された空気４５１Ａないし４５１Ｅの流路が狭められるから、流路内の空気圧が高くなり紙４０を上昇させる力が発生する。
【００５３】
したがって、上面乾燥機３７Ａの上面用空気吹き手段５５Ａないし５５Ｄからの空気６２Ａないし６２Ｄが、上方から紙４０に吹き付けられることにより、紙４０が案内板３９Ａないし３９Ｅと接触することなく、案内板３９Ａないし３９Ｅから一定の高さに浮き上がった状態で搬送される。
【００５４】
案内板３９Ａないし３９Ｅの第２の吐出孔４３１Ａないし４３１Ｅから吐出された空気４５１Ａないし４５１Ｅは紙４０の幅方向へ流れ、紙４０の幅方向の両端から放出され、図７に示すように、排気ダクト５０内に吸引されて排気され、一部は上方の排気ダクト５２から排気される。
【００５５】
このように、空気４５１Ａないし４５１Ｅが紙４０の幅方向の両端から放出されるため、空気４５Ａないし４５Ｅが、紙４０と案内板３９Ａないし３９Ｅとの間に滞留するようなことがない。このため、紙４０は案内板３９Ａないし３９Ｅから一定の高さに浮き上がった状態が保持されて搬送される。
【００５６】
一方、耐熱ガラス３８Ａないし３８Ｅの第１の吐出孔３８１Ａないし３８１Ｅからは空気３８２Ａないし３８２Ｅが上方に吐出されているため、この空気３８２Ａないし３８２Ｅによって紙４０が持ち上げられ、紙４０は案内板３９Ａないし３９Ｅから一定の高さに浮き上がった状態が保持されて搬送される。
【００５７】
したがって、紙４０が上下にばたつくようなことがないから、紙４０の紙尻が耐熱ガラス３８Ａないし３８Ｅに接触することが防止できるため、紙４０がこの第１の乾燥機３５Ａ内を搬送されているときに、紙４０の下面に塗布したニスの剥離や、下面側に傷が付いたりすることを防止できる。上面用空気吹き手段５５Ａないし５５Ｄの給気ダクト６１Ａないし６１Ｄから吹き付けられた空気６２Ａないし６２Ｄは、上方の排気ダクト５２と幅方向の排気ダクト５０から排気される。
【００５８】
ここで、案内板３９Ａないし３９Ｅの耐熱ガラス３８Ａないし３８Ｅに隣接した部位に、第３の吐出孔４５２Ａないし４５２Ｅ、４５３Ａないし４５３Ｅが設けられており、これら第３の吐出孔４５２Ａないし４５２Ｅ、４５３Ａないし４５３Ｅから空気４５２Ａないし４５２Ｅ、４５３Ａないし４５３Ｅが上方に吐出されている。このため、耐熱ガラス３８Ａないし３８Ｅと案内板３９Ａないし３９Ｅとの間に隙間が設けられているが、これら空気４５２Ａないし４５２Ｅ、４５３Ａないし４５３Ｅによって紙４０が持ち上げられ、紙４０の紙尻が案内板３９Ａないし３９Ｅおよび耐熱ガラス３８Ａないし３８Ｅに接触することを防止できる。
【００５９】
また、案内板３９Ａないし３９Ｅの第２の吐出孔４３１Ａないし４３１Ｅから吐出される空気が流れない案内板３９Ａないし３９Ｅの中央部に、上方に空気を吐出する吐出孔４３４Ａないし４３４Ｅが設けられているため、紙４０の中央部が案内板３９Ａないし３９Ｅに接触することを防止できる。
【００６０】
また、案内板３９Ａないし３９Ｅの第２の吐出孔４３１Ａないし４３１Ｅから吐出された空気４５１Ａないし４５１Ｅが紙４０の幅方向に流れるために、耐熱ガラス３８Ｂないし３８Ｄ方向へは流れない。このように、案内板３９Ａないし３９Ｅと耐熱ガラス３８Ａないし３８Ｅとの間をまたぐような空気の流れが発生しないために、仮に耐熱ガラス３８Ａないし３８Ｅの上面と案内板３９Ａないし３９Ｅの上面との間に段差があったとしても、これらの間で乱流が発生するようなことがない。このため、紙４０が上下にばたつくようなことがないから、紙４０の紙尻が案内板３９Ａないし３９Ｅおよび耐熱ガラス３８Ａないし３８Ｅに接触することを防止できるため、紙４０に傷が付いたり、ニスが剥離したりすることを防止できる。
【００６１】
このようにして第１の乾燥機３５Ａ内を搬送される紙４０の下面は、１番目ないし３番目の下面乾燥ユニット５１Ａないし５１Ｃの下面乾燥用ランプ４６Ａないし４６Ｃからの赤外線が照射されることによって、これらの赤外線の熱作用によって乾燥が促進される。同時に、紙４０の搬送方向上流側に設けられた１番目および２番目の案内板３９Ａ，３９Ｂの第２の吐出孔４３１Ａ，４３１Ｂおよび第３の吐出孔４３２Ａ，４３２Ｂ、４３３Ａ，４３３Ｂならびに吐出孔４３４Ａ，４３４Ｂから吐出される温風の空気４５１Ａ，４５１Ｂおよび空気４５２Ａ，４５２Ｂならびに空気４５３Ａ，４５３Ｂによっても、紙４０の下面が乾燥させられる。
【００６２】
ここで、２番目および４番目の案内板３９Ｂ，３９Ｄは、これに対向して設けられた上面乾燥用ランプ５６Ａ，５６Ｃによって加熱されるから、加熱されたこれら案内板３９Ｂ，３９Ｄによっても紙４０の下面の乾燥がより促進される。
【００６３】
このように下面乾燥用ランプ４６Ａないし４６Ｃからの赤外線が照射されたり、温風の空気４５１Ａ，４５１Ｂおよび空気４５２Ａ，４５２Ｂならびに空気４５３Ａ，４５３Ｂが吹き付けられた紙４０の下面には、３番目の案内板３９Ｃの吐出孔４３１Ｃないし４３４Ｃから常温の空気４５１Ｃないし４５３Ｃが吹き付けられる。このため、紙４０の下面が冷却されるから、紙４０の下面への過剰な加熱による紙４０の硬化および紙４０上に塗布されたインキやニスの硬化を防止できる。
【００６４】
ここで、３番目の案内板３９Ｃを通過した紙４０の下面に未乾燥な部分が発生した場合には、４番目および５番目の案内板３９Ｄ，３９Ｅの吐出孔４３１Ｄないし４３４Ｄ，４３１Ｅないし４３４Ｅから吐出される温風の空気４５１Ｄ，４５１Ｅおよび空気４５２Ｄ，４５２Ｅならびに空気４５３Ｄ，４５３Ｅによって、この未乾燥な部分の乾燥がなされる。
【００６５】
一方、第１の乾燥機３５Ａ内を搬送される紙４０の上面は、上面乾燥用ランプ５６Ａないし５６Ｃからの赤外線が照射されることによって、この赤外線の熱作用によって乾燥が促進される。同時に、紙４０の搬送方向上流側に設けられた１番目および２番目の上面用空気吹き手段５５Ａ，５５Ｂから吹き付けられる温風の空気６２Ａ，６２Ｂによっても紙４０の上面が乾燥させられる。
【００６６】
このように、上面乾燥用ランプ５６Ａないし５６Ｃからの赤外線が照射され、かつ温風の空気６２Ａ，６２Ｂが吹き付けられた紙４０の上面には、３番目の上面用空気吹き手段５５Ｃから常温の空気６２Ｃが吹き付けられる。このため、紙４０の上面が冷却されるから紙４０の上面への過剰な加熱による紙４０の硬化および紙４０上に塗布されたインキやニスの硬化を防止できる。
【００６７】
ここで、３番目の上面乾燥用ランプ５６Ｃの下側を通過した紙４０の上面に未乾燥な部分が発生した場合には、４番目の上面用空気吹き手段５５Ｄから吹き付けられる温風の空気６２Ｄによって、この未乾燥な部分の乾燥がなされる。
【００６８】
なお、この第１の乾燥機３５Ａの下面乾燥機３６Ａにおいて、紙４０の搬送方向上流側から１番目と５番目に位置するチャンバ４６１Ａ，４６１Ｅ内に、必要に応じて下面乾燥用ランプを設置してもよい。
【００６９】
次に、図３を用いて第２の乾燥機３５Ｂを説明する。
第２の乾燥機３５Ｂは、紙４０の搬送経路２０の下方に設けられた下面乾燥機３６Ｂと、この下面乾燥機３６Ｂに対向するように紙４０の搬送経路２０の上方に設けられた上面乾燥機３７Ｂとによって構成されている。
【００７０】
下面乾燥機３６Ｂは、紙４０の搬送方向（矢印Ａ方向）に交互に設けられた５つの耐熱ガラス３８Ｆないし３８Ｊおよび案内板３９Ｆないし３９Ｊと、紙４０の搬送方向上流側から１番目と２番目に位置する２枚の耐熱ガラス３８Ｆ，３８Ｇの下方に設けた２つの下面乾燥用ランプ４６Ｄ，４６Ｅと、５つの案内板３９Ｆないし３９Ｊに空気を供給する５つのダクト４４Ｆないし４４Ｊとによって概ね構成されている。
【００７１】
これら５つの耐熱ガラス３８Ｆないし３８Ｊと、５つの案内板３９Ｆないし３９Ｊと、２つの下面乾燥用ランプ４６Ｄ，４６Ｅとは、左右のフレーム４１，４１間に支持部材４２Ｂを介して取り付けられている。
【００７２】
５つのダクト４４Ｆないし４４Ｊのうち、２番目のダクト４４Ｇには、上記した第１の下面用ブロア４７から温風の空気が供給され、他のダクト４４Ｆ，４４Ｈないし４４Ｊには、第２の下面用ブロア４９から常温の空気が供給される。
【００７３】
紙の搬送方向上流側から、下面乾燥用ランプ４６Ｄと耐熱ガラス３８Ｆと案内板３９Ｆとが１番目の下面乾燥用ユニット５１Ｄを構成し、下面乾燥用ランプ４６Ｅと耐熱ガラス３８Ｇと案内板３９Ｇとが２番目の下面乾燥用ユニット５１Ｅを構成している。
【００７４】
上面乾燥機３７Ｂには、２つの赤外線ランプである上面乾燥用ランプ５６Ｄ，５６Ｅと、５つの上面用空気吹き手段５５Ｅないし５５Ｉとが、左右のフレーム４１，４１間に支持部材５７Ｂを介して取り付けられている。
【００７５】
２つの上面乾燥用ランプ５６Ｄ，５６Ｅは、上記した下面乾燥機３６Ｂの１番目および２番目の案内板３９Ｆ，３９Ｇのそれぞれに対向している。５つの上面用空気吹き手段５５Ｅないし５５Ｉは、下面乾燥機３６Ｂの各耐熱ガラス３８Ｆないし３８Ｊに対向している。
【００７６】
これら５つの上面用空気吹き手段５５Ｅないし５５Ｉのうち、２番目の上面用空気吹き手段５５Ｆには、上記した第１の上面用ブロア５７から温風の空気が供給され、他の上面用空気吹き手段５５Ｅおよび上面用空気吹き手段５５Ｇないし５５Ｉには、第２の上面用ブロア５８から常温の空気が供給される。
【００７７】
紙の搬送方向上流側から、上面用空気吹き手段５５Ｅと上面乾燥用ランプ５６Ｄとが１番目の上面乾燥用ユニット５４Ｄを構成しており、上記した下面乾燥機３６Ｂの１番目の下面乾燥用ユニット５１Ｄに対向している。また、上面用空気吹き手段５５Ｆと上面乾燥用ランプ５６Ｅとが２番目の上面乾燥用ユニット５４Ｅを構成しており、上記した下面乾燥機３６Ｂの２番目の下面乾燥用ユニット５１Ｅに対向している。
【００７８】
このように構成することにより、第１の乾燥機３５Ａから第２の乾燥機３５Ｂに紙４０が搬送されると、案内板３９Ｆないし３９Ｊの第２の吐出孔４３１Ｆないし４３１Ｊおよび第３の吐出孔４３２Ｆないし４３２Ｊ、４３３Ｆないし４３３Ｊならびに吐出孔４３４Ｆないし４３４Ｊから空気４５１Ｆないし４５１Ｊ、４５２Ｆないし４５２Ｊ、４５３Ｆないし４５３Ｊが吐出され、上面用空気吹き手段５５Ｅないし５５Ｉから空気６２Ｅないし６２Ｉが吹き付けられる。したがって、上述した第１の乾燥機３５Ａと同様に、紙４０は案内板３９Ｆないし３９Ｊから、一定の高さに浮き上がった状態が保持されて搬送される。
【００７９】
一方、耐熱ガラス３８Ｆないし３８Ｊの第１の吐出孔３８１Ｆないし３８１Ｊからは空気３８２Ｆないし３８２Ｊが上方に吐出されているため、この空気３８２Ｆないし３８２Ｊによって紙４０が持ち上げられ、紙４０は案内板３９Ｆないし３９Ｊから一定の高さに浮き上がった状態が保持されて搬送される。
【００８０】
したがって、紙４０が上下にばたつくようなことがないから、紙４０の紙尻が耐熱ガラス３８Ｆないし３８Ｊに接触することを防止できるため、紙４０がこの第２の乾燥機３５Ｂ内を搬送されているときに、紙４０の下面に塗布したニスの剥離や、下面側に傷が付いたりすることを防止できる。上面用空気吹き手段５５Ｅないし５５Ｉの給気ダクト６１Ｅないし６１Ｉから吹き付けられた空気６２Ｅないし６２Ｉは、上方の排気ダクト５２と幅方向の排気ダクト５０から排気される。
【００８１】
ここで、案内板３９Ｆないし３９Ｊの耐熱ガラス３８Ｆないし３８Ｊに隣接した部位に、第３の吐出孔４５２Ｆないし４５２Ｊ、４５３Ｆないし４５３Ｊが設けられており、これら第３の吐出孔４５２Ｆないし４５２Ｊ、４５３Ｆないし４５３Ｊから空気４５２Ｆないし４５２Ｊ、４５３Ｆないし４５３Ｊが上方に吐出されている。このため、耐熱ガラス３８Ｆないし３８Ｊと案内板３９Ｆないし３９Ｊとの間に隙間が設けられているが、これら空気４５２Ｆないし４５２Ｊ、４５３Ｆないし４５３Ｊによって紙４０が持ち上げられ、紙４０の紙尻が案内板３９Ｆないし３９Ｊおよび耐熱ガラス３８Ｆないし３８Ｊに接触することを防止できる。
【００８２】
また、案内板３９Ｆないし３９Ｊの第２の吐出孔４３１Ｆないし４３１Ｊから吐出される空気が流れない案内板３９Ｆないし３９Ｊの中央部に、上方に空気を吐出する吐出孔４３４Ｆないし４３４Ｊが設けられているため、紙４０の中央部が案内板３９Ｆないし３９Ｊに接触することを防止できる。
【００８３】
また、案内板３９Ｆないし３９Ｊの第２の吐出孔４３１Ｆないし４３１Ｊから吐出された空気４５１Ｆないし４５１Ｊが紙４０の幅方向に流れるために、耐熱ガラス３８Ｆないし３８Ｊ方向へは流れない。このように、案内板３９Ｆないし３９Ｊと耐熱ガラス３８Ｆないし３８Ｊとの間をまたぐような空気の流れが発生しないため、仮に、耐熱ガラス３８Ｆないし３８Ｊと案内板３９Ｆないし３９Ｊとの上面との間に段差が設けられていたとしても、これらの間で乱流が発生するようなことがない。このため、紙４０が上下にばたつくようなことがないから、紙４０の紙尻が案内板３９Ｆないし３９Ｊおよび耐熱ガラス３８Ｆないし３８Ｊに接触することを防止できるため、紙４０に傷が付いたり、ニスが剥離したりすることを防止できる。
【００８４】
この状態で搬送される紙４０の下面は、下面乾燥用ランプ４６Ｄ，４６Ｅの赤外線の熱作用によって乾燥が促進される。同時に、２番目の乾燥ユニット５１Ｅの案内板３９Ｇの吐出孔４３１Ｇないし４３４Ｇから吐出された温風の空気４５１Ｇないし４５３Ｇによっても乾燥され、上述した第１の乾燥機３５Ａの下面乾燥機３６Ａによって乾燥しきれなかった未乾燥部分が乾燥させられる。
【００８５】
ここで、この２番目の案内板３９Ｇは、これに対向して設けられた上面乾燥用ランプ５６Ｅによって加熱されるから、加熱されたこの案内板３９Ｇによって紙４０の下面の乾燥がより促進される。この場合、１番目の案内板３９Ｆの吐出孔４３１Ｆないし４３４Ｆから吐出される常温の空気４５１Ｆないし４５３Ｆは、この案内板３９Ｆの紙の搬送方向上流側に位置する上記した案内板３９Ｄ，３９Ｅの吐出孔４３１Ｄないし４３４Ｄ，４３１Ｅないし４３４Ｅから吐出される温風の空気４５１Ｄないし４５３Ｄ，４５１Ｅないし４５３Ｅによって加熱された紙４０の下面を冷却する。
【００８６】
また、３番目ないし５番目の案内板３９Ｈないし３９Ｊの吐出孔４３１Ｈないし４３４Ｈ、４３１Ｉないし４３４Ｉ、４３１Ｊないし４３４Ｊから吐出される常温の空気４５１Ｈないし４５３Ｈ、空気４５１Ｉないし４５３Ｉ、空気４５１Ｊないし４５３Ｊが、３番目の案内板３９Ｈの紙の搬送方向上流側に隣接する案内板３９Ｇの吐出孔４３１Ｇないし４３４Ｇから吐出された温風の空気４５１Ｇないし４５３Ｇおよび下面乾燥用ランプ４６Ｄ，４６Ｅによって加熱された紙４０の下面を冷却する。このため、紙４０の下面への過剰な加熱による紙４０の硬化および紙４０上に塗布されたインキやニスの硬化を防止できる。
【００８７】
一方、紙４０の上面は、上面乾燥用ランプ５６Ｄ，５６Ｅから照射される赤外線の熱作用によって乾燥が促進される。同時に、上面用空気吹き手段５５Ｆから吹き付けられた温風の空気６２Ｆによって乾燥され、上述した第１の乾燥機３５Ａの上面乾燥機３７Ａによって乾燥しきれなかった未乾燥部分が乾燥させられる。
【００８８】
この場合、１番目の上面用空気吹き手段５５Ｅから吐出される常温の空気６２Ｅは、この上面用空気吹き手段５５Ｅの紙の搬送方向上流側に位置する上記した上面用空気吹き手段５５Ｄから吐出された温風の空気６２Ｄによって加熱された紙４０の上面を冷却する。
【００８９】
また、３番目ないし５番目の上面用空気吹き手段５５Ｇ，５５Ｈ，５５Ｉから吐出された常温の空気６２Ｇ，６２Ｈ，６２Ｉは、３番目の上面用空気吹き手段５５Ｇの紙の搬送方向上流側に隣接する上面用空気吹き手段５５Ｆから吐出された温風の空気６２Ｆおよび上面乾燥用ランプ５６Ｄ，５６Ｅによって加熱された紙４０の上面を冷却する。このため、紙４０の上面への過剰な加熱による紙４０の硬化および紙４０上に塗布されたインキやニスの硬化を防止できる。
【００９０】
なお、この第２の乾燥機３５Ｂの下面乾燥機３６Ｂにおいて、紙４０の搬送方向上流側から３番目ないし５番目に位置するチャンバ４６１Ｈないし４６１Ｊ内には、下面乾燥用ランプ４６が設置されていないが、必要に応じて設置してもよい。
【００９１】
次に、図４を用いて第３の乾燥機３５Ｃを説明する。第３の乾燥機３５Ｃは、紙４０の搬送経路２０の下方に設けられた下面乾燥機３６Ｃと、この下面乾燥機３６Ｃに対向するように紙４０の搬送経路２０の上方に設けられた上面乾燥機３７Ｃとによって構成されている。
【００９２】
下面乾燥機３６Ｃには、紙４０の搬送方向（矢印Ａ方向）に交互に設けられた５枚の耐熱ガラス３８Ｋないし３８Ｏおよび５つの案内板３９Ｋないし３９Ｏとが備えられている。これら耐熱ガラス３８Ｋないし３８Ｏおよび案内板３９Ｋないし３９Ｏは、左右のフレーム４１，４１に固定された支持部材４２Ｃに取り付けられており、案内板３９Ｋないし３９Ｏに空気を供給する５つのダクト４４Ｋないし４４Ｏが設けられている。これらダクト４４Ｋないし４４Ｏには、上記した第２の下面用ブロア４９から常温の空気が供給される。
【００９３】
上面乾燥機３７Ｃには、下面乾燥機３６Ｃの各耐熱ガラス３８Ｋないし３８Ｏに対向する５つの上面用空気吹き手段５５Ｊないし５５Ｎが、左右のフレーム４１，４１間に支持部材５７Ｃを介して取り付けられている。これら上面用空気吹き手段５５Ｊないし５５Ｎには、上記した第２の上面用ブロア５８から常温の空気が供給される。
【００９４】
このように構成することにより、第２の乾燥機３５Ｂから第３の乾燥機３５Ｃに紙４０が搬送されると、案内板３９Ｋないし３９Ｏの第２の吐出孔４３１Ｋないし４３１Ｏおよび第３の吐出孔４３２Ｋないし４３２Ｏ、４３３Ｋないし４３３Ｏならびに吐出孔４３４Ｋないし４３４Ｏから空気４５１Ｋないし４５１Ｏ、４５２Ｋないし４５２Ｏ、４５３Ｋないし４５３Ｏが吐出され、上面用空気吹き手段５５Ｊないし５５Ｎから空気６２Ｊないし６２Ｎが吹き付けられる。したがって、上述した第１の乾燥機３５Ａと同様に、紙４０は案内板３９Ｋないし３９Ｏから、一定の高さに浮き上がった状態が保持されて搬送される。
【００９５】
一方、耐熱ガラス３８Ｋないし３８Ｏの第１の吐出孔３８１Ｋないし３８１Ｏからは空気３８２Ｋないし３８２Ｏが上方に吐出されているため、この空気３８２Ｋないし３８２Ｏによって紙４０が持ち上げられ、紙４０は案内板３９Ｋないし３９Ｏから一定の高さに浮き上がった状態が保持されて搬送される。
【００９６】
したがって、紙４０が上下にばたつくようなことがないから、紙４０の紙尻が耐熱ガラス３８Ｋないし３８Ｏに接触することを防止できるため、紙４０がこの第３の乾燥機３５Ｃ内を搬送されているときに、紙４０の下面に塗布したニスの剥離や、下面側に傷が付いたりすることを防止できる。上面用空気吹き手段５５Ｊないし５５Ｎの給気ダクト６１Ｊないし６１Ｎから吹き付けられた空気６２Ｊないし６２Ｎは、上方の排気ダクト５２と幅方向の排気ダクト５０から排気される。
【００９７】
ここで、案内板３９Ｋないし３９Ｏの耐熱ガラス３８Ｋないし３８Ｏに隣接した部位に、第３の吐出孔４５２Ｋないし４５２Ｏ、４５３Ｋないし４５３Ｏが設けられており、これら第３の吐出孔４５２Ｋないし４５２Ｏ、４５３Ｋないし４５３Ｏから空気４５２Ｋないし４５２Ｏ、４５３Ｋないし４５３Ｏが上方に吐出されている。このため、耐熱ガラス３８Ｋないし３８Ｏと案内板３９Ｋないし３９Ｏとの間に隙間が設けられているが、これら空気４５２Ｋないし４５２Ｏ、４５３Ｋないし４５３Ｏによって紙４０が持ち上げられ、紙４０の紙尻が案内板３９Ｋないし３９Ｏおよび耐熱ガラス３８Ｋないし３８Ｏに接触することを防止できる。
【００９８】
また、案内板３９Ｋないし３９Ｏの第２の吐出孔４３１Ｋないし４３１Ｏから吐出される空気が流れない案内板３９Ｋないし３９ＯＪの中央部に、上方に空気を吐出する吐出孔４３４Ｋいし４３４ＯＪが設けられているため、紙４０の中央部が案内板３９Ｋないし３９Ｏに接触することを防止できる。
【００９９】
また、案内板３９Ｋないし３９Ｏの第２の吐出孔４３１Ｋないし４３１Ｏから吐出された空気４５１Ｋないし４５１Ｏが紙４０の幅方向に流れるために、耐熱ガラス３８Ｋないし３８Ｏ方向へは流れない。このように、案内板３９Ｋないし３９Ｏと耐熱ガラス３８Ｋないし３８Ｏとの間をまたぐような空気の流れが発生しないため、仮に、耐熱ガラス３８Ｋないし３８Ｏと案内板３９Ｋないし３９Ｏとの上面との間に段差があったとしても、これらの間で乱流が発生するようなことがない。このため、紙４０が上下にばたつくようなことがないから、紙４０の紙尻が案内板３９Ｋないし３９Ｏおよび耐熱ガラス３８Ｋいし３８Ｏに接触することを防止できるため、紙４０に傷が付いたり、ニスが剥離したりすることを防止できる。
【０１００】
この第３の乾燥機３５Ｃにおいては、チャンバ４６１Ｋないし４６１Ｏ内に乾燥用ランプが設けられておらず、かつ案内板３９Ｋないし３９Ｏの吐出孔４３１Ｋないし４３１Ｏ、４３２Ｋないし４３２Ｏ、４３３Ｋないし４３３Ｏ、４３４Ｋないし４３４Ｏから吐出される空気４５１Ｋないし４５１Ｏ、空気４５２Ｋないし４５２Ｏ、空気４５３Ｋないし４５３Ｏの温度は常温である。また、上面用空気吹き手段５５Ｊないし５５Ｎから吹き付けられる空気６２Ｊないし６２Ｎの温度も常温であるから、紙４０の上面および下面を乾燥させる機能は有しておらず、紙４０の搬送と冷却が行われる。
【０１０１】
しかしながら、下面乾燥機３６Ｃの各チャンバ４６１Ｋないし４６１Ｏ内に乾燥用ランプを設けてもよく、この第３の乾燥機３５Ｃは、必要に応じて乾燥機としても使用できるように構成されているから、予備的な乾燥機として機能する。
【０１０２】
図１１および図１２は本発明の第２の実施の形態を示し、図１１は枚葉輪転印刷機における乾燥装置の上流側の半分を示す側面図、図１２は同じく乾燥装置の下流側の半分を示す側面図である。
【０１０３】
図１１および図１２に全体を符号１３５で示す乾燥装置は、紙の搬送方向（矢印Ａ方向）上流側から下流側に向かって順次位置付けられた第１の乾燥機１３５Ａおよび第２の乾燥機１３５Ｂならびに第３の乾燥機１３５Ｃによって構成されている。この第２の実施の形態においては、第１の乾燥機１３５Ａに下面乾燥機１３６Ａが備えられ、この下面乾燥機１３６Ａの紙の搬送方向下流側に位置付けられた第２の乾燥機１３５Ｂに、上面乾燥機１３７Ｂが設けられている。
【０１０４】
第１の乾燥機１３５Ａの下面乾燥機１３６Ａには、紙４０の搬送方向（矢印Ａ方向）に交互に設けられ上述した第１の実施の形態と同じ構造を有する５枚の耐熱ガラス３８Ａないし３８Ｅおよび案内板３９Ａないし３９Ｅとが備えられている。５枚の耐熱ガラス３８Ａないし３８Ｅの下方には、上述した第１の実施の形態と同じ構造を有する５つのチャンバ４６１Ａないし４６１Ｅが設けられており、これらチャンバには第２の下面用ブロア４９から常温の空気が供給される。紙４０の搬送方向上流側から１番目と２番目に位置するチャンバ４６１Ａ，４６１Ｂ内には、紫外線ランプである２本の下面乾燥用ランプ６５Ａ，６５Ｂが設けられている。
【０１０５】
５つの案内板３９Ａないし３９Ｅに空気を供給する５つのダクト４４Ａないし４４Ｅには、上記した第２の下面用ブロア４９から常温の空気が供給される。紙の搬送方向上流側から、下面乾燥用ランプ６５Ａと耐熱ガラス３８Ａと案内板３９Ａとが１番目の下面乾燥用ユニット６８Ａを構成し、下面乾燥用ランプ６５Ｂと耐熱ガラス３８Ｂと案内板３９Ｂとが２番目の下面乾燥用ユニット６８Ｂを構成している。
【０１０６】
第２の乾燥機１３５Ｂは、紙４０の搬送経路２０の下方に設けられた下面乾燥機１３６Ｂと、この下面乾燥機１３６Ｂに対向するように紙４０の搬送経路２０の上方に設けられた上面乾燥機１３７Ｂとによって構成されている。
【０１０７】
下面乾燥機１３６Ｂには、紙４０の搬送方向（矢印Ａ方向）に上述した第１の実施の形態と同じ構造を有する１０枚の案内板３９Ｆないし３９Ｏが並べられている。これら１０枚の案内板３９Ｆないし３９Ｏに空気を供給する１０個のダクト４４Ｆないし４４Ｏには、上記した第２の下面用ブロア４９から常温の空気が供給される。これらダクト４４Ｆないし４４Ｏおよび案内板３９Ｆないし３９Ｏならびに第２の下面用ブロア４９が、請求項７記載の下面用空気吹き手段に相当する。
【０１０８】
上面乾燥機１３７Ｂには、２つの紫外線ランプである上面乾燥用ランプ６７Ａ，６７Ｂと、４つの上面用空気吹き手段５５Ａないし５５Ｄとが備えられている。２つの上面乾燥用ランプ６７Ａ，６７Ｂは、上記した下面乾燥機１３６Ｂの案内板３９Ｆ，３９Ｈに対向している。４つの上面用空気吹き手段５５Ａないし５５Ｄは、下面乾燥機１３６Ｂの案内板３９Ｇ，３９Ｉ，３９Ｋ，３９Ｍのそれぞれに対向しており、これら上面用空気吹き手段５５Ａないし５５Ｄには、第２の上面用ブロア５８から常温の空気が供給される。
【０１０９】
紙の搬送方向上流側から、上面乾燥用ランプ６７Ａと上面用空気吹き手段５５Ａとが１番目の上面乾燥用ユニット６９Ａを構成し、上面乾燥用ランプ６７Ｂと上面用空気吹き手段５５Ｂとが２番目の上面乾燥用ユニット６９Ｂを構成している。
【０１１０】
第３の乾燥機１３５Ｃは、図１２に示すように、紙４０の搬送経路２０の下方に設けられた下面乾燥機１３６Ｃと、この下面乾燥機１３６Ｃに対向するように紙４０の搬送経路２０の上方に設けられた上面乾燥機１３７Ｃとによって構成されている。
【０１１１】
下面乾燥機１３６Ｃには、紙４０の搬送方向（矢印Ａ方向）に交互に設けられ上述した第１の実施の形態と同じ構造を有する４枚の耐熱ガラス３８Ｋないし３８Ｎおよび案内板３９Ｐないし３９Ｓとを備えられている。４枚の耐熱ガラス３８Ｋないし３８Ｎの下方には、上述した第１の実施の形態と同じ構造を有する４つのチャンバ４６１Ｋないし４６１Ｎが設けられており、これらチャンバには第２の下面用ブロア４９から常温の空気が供給される。４つの案内板３９Ｐないし３９Ｓに空気を供給する４つのダクト４４Ｐないし４４Ｓには、図示を省略した第３の下面用ブロアから常温の空気が供給される。この第３の下面用ブロアからは、常温の空気と、冷却装置によって冷却された低温の空気との両方を供給できるように構成されている。
【０１１２】
上面乾燥機１３７Ｃには、下面乾燥機１３６Ｃの各案内板３９Ｋないし３９Ｎに対向する４つの上面用空気吹き手段５５Ｅないし５５Ｈが備えられており、これら上面用空気吹き手段５５Ｅないし５５Ｈには、図示を省略した第３の上面用ブロアから常温の空気が供給される。この第３の上面用ブロアからは、常温の空気と、冷却装置によって冷却された低温の空気との両方を供給できるように構成されている。
【０１１３】
このように構成されていることにより、排紙チェーン２０によって第１の乾燥機１３５Ａ内に搬送された紙４０は、案内板３９Ａないし３９Ｅの吐出孔４３１Ａないし４３１Ｅ、４３２Ａないし４３２Ｅ、４３３Ａないし４３３Ｅ、４３４Ａないし４３４Ｅから吐出された空気４５１Ａないし４５１Ｅ、４５２Ａないし４５２Ｅ、４５３Ａないし４５３Ｅおよび耐熱ガラス３８Ａないし３８Ｅの吐出孔３８１Ａないし３８１Ｅから吐出された空気３８２Ａないし３８２Ｅによって案内板３９Ａないし３９Ｅおよび耐熱ガラス３８Ａないし３８Ｅから浮き上がった状態で搬送される。このため、紙４０がこの第１の乾燥機１３５Ａ内を搬送されているときに、紙４０が案内板３９Ａないし３９Ｅおよび耐熱ガラス３８Ａないし３８Ｅに接触しないから、紙４０の下面に塗布したニスの剥離や、下面側に傷が付いたりすることを防止できる。
【０１１４】
このように第１の乾燥機１３５Ａ内を搬送される紙４０の下面は、下面乾燥用ランプ６５Ａ，６５Ｂからの紫外線が照射されることによって、この紫外線が化学反応を促進するため紙４０の下面に塗布されたニスが硬化し乾燥する。
【０１１５】
ここで、紫外線による乾燥以外に赤外線による乾燥が必要になった場合には、第３ないし５番目の案内板３９Ｃないし３９Ｅの紙４０の搬送方向上流側のチャンバ４６１Ｃないし４６１Ｅ内に赤外線ランプ４６を配置してもよい。
【０１１６】
第１の乾燥機１３５Ａ内で下面が乾燥された紙４０は、第２の乾燥機１３５Ｂ内に搬送されると、上述した第１の実施の形態の第１の乾燥機３５Ａと同様に、紙４０は案内板３９Ｆないし３９Ｏから浮き上がった状態で搬送される。このため、紙４０がこの第２の乾燥機１３５Ｂ内を搬送されているときに、紙４０の下面に塗布したニスの剥離や、下面側に傷が付いたりすることを防止できる。
【０１１７】
この状態で、第２の乾燥機１３５Ｂ内を搬送される紙４０の上面は、上面乾燥用ランプ６７Ａ，６７Ｂからの紫外線が照射されることによって、この紫外線が化学反応を促進するため紙４０の上面に塗布されたニスが硬化し乾燥する。
【０１１８】
ここで、紫外線による乾燥以外に赤外線による乾燥が必要になった場合には、第２ないし４番目の上面用空気吹き手段５５Ｂないし５５Ｄの紙４０の搬送方向下流側に、二点鎖線で示すように赤外線ランプ４６を配置してもよい。
【０１１９】
第２の乾燥機１３５Ｂから第３の乾燥機１３５Ｃに紙４０が搬送されると、上述した第１の実施の形態の第３の乾燥機３５Ｃと同様に、紙４０は耐熱ガラス３８Ｋないし３８Ｎおよび案内板３９Ｐないし３９Ｓから一定の高さに浮き上がった状態が保持されて搬送される。このため、紙４０がこの第３の乾燥機１３５Ｃ内を搬送されているときに、紙４０が耐熱ガラス３８Ｋないし３８Ｎおよび案内板３９Ｐないし３９Ｓに接触しないから、紙４０の下面に塗布したニスの剥離や、下面側に傷が付いたりすることを防止できる。
【０１２０】
この第３の乾燥機１３５Ｃにおいては、乾燥用ランプが設けられておらず、かつ案内板３９Ｐないし３９Ｓの吐出孔４３Ｐないし４３Ｓから吐出される空気４５Ｐないし４５Ｓの温度が常温である。また、上面用空気吹き手段５５Ｊないし５５Ｎから吹き付けられる空気６２Ｊないし６２Ｎの温度も常温であるから、紙４０の上下面を乾燥させる機能は有しておらず紙４０の搬送が行われる。
【０１２１】
この第３の乾燥機１３５Ｃにおいて、紙４０を冷却する必要が生じた場合には、図示を省略した第３の下面用ブロアから冷却された低温の空気を案内板３９Ｐないし３９Ｓに供給し、吐出孔４３Ｐないし４３Ｓから吐出した低温の空気４５Ｐないし４５Ｓを紙４０の下面に吹き付ける。
【０１２２】
同時に、図示を省略した第３の上面用ブロアから冷却された低温の空気を上面用空気吹き手段５５Ｊないし５５Ｎに供給し、これら上面用空気吹き手段５５Ｊないし５５Ｎから冷却された低温の空気６２Ｊないし６２Ｎを紙４０の上面に吹き付ける。
【０１２３】
図１３は本発明の第３の実施の形態を示し、枚葉輪転印刷機における乾燥装置の上流側の半分を示す側面図である。この第３の実施の形態においては、第２の乾燥機２３５Ｂの下面乾燥機２３６Ｂに対して、紙４０の搬送方向上流側である第１の乾燥機２３５Ａに上面乾燥機２３７Ａが備えられている。第１の乾燥機２３５Ａは、紙４０の搬送経路２０の下方に設けられた下面乾燥機２３６Ａと、この下面乾燥機２３６Ａに対向するように紙４０の搬送経路２０の上方に設けられた上面乾燥機２３７Ａとによって構成されている。この下面乾燥機２３６Ａが請求項８における下面用空気吹き手段に相当し、上面乾燥機２３７Ａが請求項８における上面乾燥用ユニットに相当する。
【０１２４】
下面乾燥機２３６Ａには、紙４０の搬送方向（矢印Ａ方向）に上述した第１の実施の形態と同じ構造を有する１０枚の案内板３９Ａないし３９Ｊが備えられている。１０枚の案内板３９Ａないし３９Ｊに空気を供給する１０個のダクト４４Ａないし４４Ｊには、上記した第２の下面用ブロア４９から常温の空気が供給される。
【０１２５】
上面乾燥機２３７Ａには、２つの紫外線ランプである上面乾燥用ランプ６７Ａ，６７Ｂと、４つの上面用空気吹き手段５５Ａないし５５Ｄとが備えられている。２つの上面乾燥用ランプ６７Ａ，６７Ｂは、上記した下面乾燥機２３６Ａの耐熱ガラス３８Ａ，３８Ｂに対向している。
【０１２６】
４つの上面用空気吹き手段５５Ａないし５５Ｄは、下面乾燥機２３６Ａの案内板３９Ｂ，３９Ｄ，３９Ｆ，３９Ｈのそれぞれに対向しており、これら上面用空気吹き手段５５Ａないし５５Ｄには、上記した第２の上面用ブロア５８から常温の空気が供給される。紙の搬送方向上流側から、上面乾燥用ランプ６７Ａと上面用空気吹き手段５５Ａとが１番目の上面乾燥用ユニット６９Ａを構成し、上面乾燥用ランプ６７Ｂと上面用空気吹き手段５５Ｂとが２番目の上面乾燥用ユニット６９Ｂを構成している。
【０１２７】
第２の乾燥機２３５Ｂの下面乾燥機２３６Ａには、紙４０の搬送方向（矢印Ａ方向）に交互に設けられ上述した第１の実施の形態と同じ構造を有する５枚の耐熱ガラス３８Ｆないし３８Ｊおよび案内板３９Ｋないし３９Ｏとが備えられている。５枚の耐熱ガラス３８Ｆないし３８Ｊの下方には、上述した第１の実施の形態と同じ構造を有する５つのチャンバ４６１Ｆないし４６１Ｊが設けられており、これらチャンバには第２の下面用ブロア４９から常温の空気が供給される。紙４０の搬送方向上流側から１番目と２番目に位置するチャンバ４６１Ａ，４６１Ｂ内には、紫外線ランプである２つの下面乾燥用ランプ６５Ａ，６５Ｂが設けられている。
【０１２８】
５つの案内板３９Ｋないし３９Ｏに空気を供給する５つのダクト４４Ｋないし４４Ｏには、上記した第２の下面用ブロア４９から常温の空気が供給される。紙の搬送方向上流側から、下面乾燥用ランプ６５Ａと耐熱ガラス３８Ｆと案内板３９Ｋとが１番目の下面乾燥用ユニット６８Ａを構成し、下面乾燥用ランプ６５Ｂと耐熱ガラス３８Ｇと案内板３９Ｌとが２番目の下面乾燥用ユニット６８Ｂを構成している。
【０１２９】
このように構成されていることにより、排紙チェーン２０によって第１の乾燥機２３５Ａ内に搬送された紙４０は、上述した第２の実施の形態の第２の乾燥機１３５Ｂと同様に、紙４０は案内板３９Ａないし３９Ｊから浮き上がった状態で搬送される。このため、紙４０がこの第１の乾燥機２３５Ａ内を搬送されているときに、紙４０が案内板３９Ａないし３９Ｊに接触しないから、紙４０の下面に塗布したニスの剥離や、下面側に傷が付いたりすることを防止できる。
【０１３０】
この状態で、第１の乾燥機２３５Ａ内を搬送される紙４０の上面は、上面乾燥用ランプ６７Ａ，６７Ｂからの紫外線が照射されることによって、この紫外線が化学反応を促進するため紙４０の上面に塗布されたニスが硬化し乾燥する。
【０１３１】
第１の乾燥機２３５Ａから第２の乾燥機２３５Ｂ内に搬送された紙４０は、上述した第２の実施の形態の第１の乾燥機１３５Ａと同様に、案内板３９Ｋないし３９Ｏおよび耐熱ガラス３８Ｆないし３８Ｊから浮き上がった状態で搬送される。このため、紙４０がこの第２の乾燥機２３５Ｂ内を搬送されているときに、紙４０が案内板３９Ｋないし３９Ｏおよび耐熱ガラス３８Ｆないし３８Ｊに接触しないから、紙４０の下面に塗布したニスの剥離や、下面側に傷が付いたりすることを防止できる。
【０１３２】
このように第２の乾燥機２３５Ｂ内を搬送される紙４０の下面は、下面乾燥用ランプ６５Ａ，６５Ｂからの紫外線が照射されることによって、この紫外線が化学反応を促進するため紙４０の下面に塗布されたニスが硬化し乾燥される。
【０１３３】
なお、本実施の形態においては、枚葉輪転印刷機１を例示したが、単体のコーティング装置にも適用できる。また、乾燥装置３５，１３５，２３５によって紙４０の両面に塗布したニスを乾燥するようにしたが、インキのみを乾燥するようにしてもよい。また、第１の乾燥機３５Ａの下面乾燥機３６Ａに３つの下面乾燥用ユニット５１Ａ，５１Ｂ，５１Ｃを設け、上面乾燥機３７Ａに３つの上面乾燥用ユニット５４Ａ，５４Ｂ，５４Ｃを設けたが、下面乾燥用ユニットと上面乾燥用ユニットとは少なくとも１つずつ設けるようにすればよい。
【０１３４】
同様に、第２の乾燥機３５Ｂの下面乾燥機３６Ｂに２つの下面乾燥用ユニット５１Ｄ，５１Ｅを設け、上面乾燥機３７Ｂに２つの上面乾燥用ユニット５４Ｄ，５４Ｅを設けたが、下面乾燥用ユニットと上面乾燥用ユニットとを少なくとも１つずつ設けるようにすればよい。さらに、第２および第３の実施の形態において、下面乾燥機１３６Ａ，２３６Ｂに２つの下面乾燥用ユニット６８Ａ，６８Ｂを設け、上面乾燥機１３７Ｂ，２３７Ａに２つの上面乾燥用ユニット６９Ａ，６９Ｂを設けたが、下面乾燥用ユニットと上面乾燥用ユニットとを少なくとも１つずつ設けるようにすればよい。
【０１３５】
また、第１の実施の形態において、乾燥用ランプを赤外線ランプとしたが、紫外線ランプを使用してもよく、その場合には、第１の下面用ブロア４７と第１の上面用ブロア５７から供給される空気の温度は常温でもよい。また、その場合には、第１の下面用ブロア４７および第１の下面用ブロア５７を設置することなく、第２の下面用ブロア５８および第２の下面用ブロア４９のみを使用するようにしてもよい。また、第２および第３の実施の形態においては、乾燥用ランプを紫外線ランプとしたが、赤外線ランプを使用してもよく、その場合には、第３の下面用ブロアと第３の上面用ブロアから供給される空気の温度は常温と高温とを組み合わせるようにしてもよい。
【図面の簡単な説明】
【０１３６】
【図１】本発明に係るシート状物の乾燥機が適用された枚葉輪転印刷機の側面図である。
【図２】本発明に係るシート状物の乾燥機が適用された枚葉輪転印刷機におけるコーティング装置の胴の配列を示す側面図である。
【図３】本発明に係るシート状物の乾燥機における乾燥装置の上流側の半分を示す側面図である。
【図４】本発明に係るシート状物の乾燥機における乾燥装置の下流側の半分を示す側面図である。
【図５】本発明に係るシート状物の乾燥機における下面乾燥機の一部を示す平面図である。
【図６】図３におけるVI矢視図である。
【図７】図３における VII矢視図である。
【図８】本発明に係るシート状物の乾燥機において、紙が浮き上がる原理を説明するためのモデル図であって、同図（ａ）は案内板の吐出孔から空気が吐出された状態を示し、同図（ｂ）は紙の下側に案内板の吐出孔から吐出された空気が通過し、かつ上面用空気吹き手段から空気を紙の上面に吹き付けた状態を示す。
【図９】図５におけるIX矢視図である。
【図１０】図５におけるX-X 線断面図である。
【図１１】本発明に係るシート状物の乾燥機の第２の実施の形態における乾燥装置の上流側の半分を示す側面図である。
【図１２】本発明に係るシート状物の乾燥機の第２の実施の形態における乾燥装置の下流側の半分を示す側面図である。
【図１３】本発明に係るシート状物の乾燥機の第３の実施の形態における乾燥装置の上流側の半分を示す側面図である。
【符号の説明】
【０１３７】
１…枚葉輪転印刷機、２…給紙部、３…印刷部、４…コーティング部、５…排紙部、２０…排紙チェーン（紙の搬送経路）、２３…第１のニスコーティング手段、２４…第２のニスコーティング手段、３５…乾燥装置、３５Ａ，１３５Ａ，２３５Ａ…第１の乾燥機、３５Ｂ，１３５Ｂ，２３５Ｂ…第２の乾燥機、３５Ｃ，１３５Ｃ…第３の乾燥機、３６Ａ，３６Ｂ，３６Ｃ…下面乾燥機、３７Ａ，３７Ｂ，３７Ｃ…上面乾燥機、３８，３８Ａないし３８Ｏ…耐熱ガラス板（透明板）、３９Ａないし３９Ｓ…案内板、４０…紙、４４Ａないし４４Ｓ…ダクト、４６，４６Ａないし４６Ｅ…下面乾燥用ランプ（赤外線ランプ）、４７…第１の下面用ブロア、４８，５９…ヒータ、４９…第２の下面用ブロア、５１Ａ，５１Ｂ，５１Ｃ，５１Ｄ，５１Ｅ…下面乾燥用ユニット、５４Ａ，５４Ｂ，５４Ｃ，５４Ｄ，５４Ｅ…上面乾燥用ユニット、５５Ａないし５５Ｎ…上面用空気吹き手段、５６Ａないし５６Ｅ…上面乾燥用ランプ（赤外線ランプ）、５７…第１の上面用ブロア、５８…第２の上面用ブロア、６５Ａ，６５Ｂ…下面乾燥用ランプ（紫外線ランプ）、６７Ａ，６７Ｂ…上面乾燥用ランプ（紫外線ランプ）、６８Ａ，６８Ｂ…下面乾燥用ユニット、６９Ａ，６９Ｂ…上面乾燥用ユニット、３８１Ａないし３８１Ｎ…第１の吐出孔、４３１Ａないし４３１Ｎ…第２の吐出孔、４３２Ａないし４３２Ｎ，４３３Ａないし４３３Ｎ…第３の吐出孔、４３４Ａないし４３４Ｎ…吐出孔、４５１Ａないし４５１Ｎ，４５２Ａないし４５２Ｎ，４５３Ａないし４５３Ｎ…空気、４６１Ａないし４６１Ｎ…チャンバ。
【図１】
2005305794.tif 000003
【図２】
2005305794.tif 000004
【図３】
2005305794.tif 000005
【図４】
2005305794.tif 000006
【図５】
2005305794.tif 000007
【図６】
2005305794.tif 000008
【図７】
2005305794.tif 000009
【図８】
2005305794.tif 000010
【図９】
2005305794.tif 000011
【図１０】
2005305794.tif 000012
【図１１】
2005305794.tif 000013
【図１２】
2005305794.tif 000014
【図１３】
2005305794.tif 000015